(57)【要約】【課題】パワーバランス制御における下り回線の送信電力の基準を適切に決定することが可能な移動通信システム、無線制御装置、基地局及び送信電力制御方法を提供する。【解決手段】ソフトハンドオーバ中の移動局５０との間に回線が設定されている各基地局１０は、自局から移動局５０へ向かう下り回線の送信電力値を無線制御装置３０へ通知する。無線制御装置３０は、ソフトハンドオーバ中の移動局５０との間に回線が設定されている各基地局１０が提供するセル２０のうち、通信品質が最良のセル２０を判定し、このセル２０を提供する基地局１０における下り送信電力値と下り最大送信電力値との比率を基準電力比として決定して、各基地局１０へ通知する。各基地局１０は、自局における下り送信電力値と下り最大送信電力値との比率が基準電力比に近付くように、下り送信電力値を制御する。【選択図】        図１
2004266538.tif 000002
【特許請求の範囲】
【請求項１】
複数の基地局と、前記各基地局を制御する無線制御装置とを有する移動通信システムにおいて、
前記各基地局は、
自局から移動局へ向かう下り回線の送信電力値を前記無線制御装置へ通知する送信電力値通知手段を備え、
前記無線制御装置は、
前記各基地局が提供するセルのうち、通信品質が良好なセルを判定するセル判定手段と、
前記セル判定手段により判定されたセルを提供する基地局における下り回線の送信電力値と最大送信電力値との比率を基準電力比として決定する基準電力比決定手段と、
前記基準電力比を前記各基地局へ通知する基準電力比通知手段と、を備え、
前記各基地局は、
自局から前記移動局へ向かう下り回線の送信電力値と最大送信電力値との比率が前記基準電力比に近付くように、前記下り回線の送信電力を制御する送信電力制御手段を備える移動通信システム。
【請求項２】
移動通信システムを構成する複数の基地局を制御する無線制御装置において、
前記各基地局から通知される、前記基地局から移動局へ向かう下り回線の送信電力値を取得する送信電力値取得手段と、
前記各基地局が提供するセルのうち、通信品質が良好なセルを判定するセル判定手段と、
前記セル判定手段により判定されたセルを提供する基地局における下り回線の送信電力値と最大送信電力値との比率を基準電力比として決定する基準電力比決定手段と、
前記基準電力比を前記各基地局へ通知する基準電力比通知手段と、を備える無線制御装置。
【請求項３】
請求項２に記載の無線制御装置において、
前記通信品質は、前記移動局から前記基地局へ向かう上り回線の通信品質である無線制御装置。
【請求項４】
請求項３に記載の無線制御装置において、
前記上り回線の通信品質を測定する上り回線通信品質測定手段を備える無線制御装置。
【請求項５】
請求項２に記載の無線制御装置において、
前記通信品質は、前記下り回線の通信品質である無線制御装置。
【請求項６】
請求項２乃至５の何れかに記載の無線制御装置において、
前記各基地局における下り回線の最大送信電力値を管理する最大送信電力値管理手段を備える無線制御装置。
【請求項７】
他の基地局とともに移動通信システムを構成する基地局において、
自局から移動局へ向かう下り回線の送信電力値を、前記移動通信システムを構成する各基地局を制御する無線制御装置へ通知する送信電力値通知手段と、
前記無線制御装置から通知される、前記移動通信システムを構成する各基地局のうち、通信品質が良好なセルを提供する基地局における下り回線の送信電力値と最大送信電力値との比率を、基準電力比として取得する基準電力比取得手段と、
自局から前記移動局へ向かう下り回線の送信電力値と最大送信電力値との比率が前記基準電力比に近付くように、前記下り回線の送信電力を制御する送信電力制御手段と、を備える基地局。
【請求項８】
請求項７に記載の基地局において、
前記移動局から通知される前記下り回線の通信品質を取得する下り回線通信品質取得手段と、
前記下り回線の通信品質を前記無線制御装置へ通知する下り回線通信品質通知手段と、を備える基地局。
【請求項９】
複数の基地局と、前記基地局を制御する無線制御装置とを有する移動通信システムにて、前記各基地局の送信電力を制御する送信電力制御方法において、
前記各基地局は、自局から移動局へ向かう下り回線の送信電力値を前記無線制御装置へ通知し、
前記無線制御装置は、前記各基地局が提供するセルのうち、通信品質が良好なセルを判定し、
前記無線制御装置は、前記判定したセルを提供する基地局における下り回線の送信電力値と最大送信電力値との比率を基準電力比として決定し、
前記無線制御装置は、前記決定した基準電力比を前記各基地局へ通知し、
前記各基地局は、自局から前記移動局へ向かう下り回線の送信電力値と最大送信電力値との比率が前記基準電力比に近付くように、前記下り回線の送信電力を制御する送信電力制御方法。
【発明の詳細な説明】
【０００１】
【発明の属する技術分野】
本発明は、複数の基地局と、これら各基地局を制御する無線制御装置とを有する移動通信システムに関し、特に、基地局から移動局へ向かう下り回線の送信電力を制御することが可能な移動通信システムに関する。
【０００２】
【従来の技術】
ＣＤＭＡ（Ｃｏｄｅ  Ｄｉｖｉｓｉｏｎ  Ｍｕｌｔｉｐｌｅ  Ａｃｃｅｓｓ）が採用され、いわゆるソフトハンドオーバが可能な移動通信システムでは、移動局は、ハンドオーバ時に複数の基地局と通信を行うことができる。
【０００３】
一般に、移動通信においては、基地局と移動局との間に設定される無線回線は、フェージングによって常に変動している。このようなフェージングの影響を抑制させるために、ソフトハンドオーバ中の移動局は、自局との間で回線を設定している複数の基地局に対して、下り回線（基地局から移動局へ向かう回線）の送信電力を制御する命令（下り送信電力制御命令、例えばＴＰＣビット）を送信する。基地局は、この下り送信電力制御命令に応じて、下り回線の送信電力を増減させるとともに、当該下り回線の送信電力のバランス化を目的としたパワーバランス制御を行う。
【０００４】
一方、基地局は、自局との間で回線を設定している移動局に対して、上り回線（移動局から基地局へ向かう回線）の送信電力を制御する命令（上り送信電力制御命令）を送信する。移動局は、この上り送信電力制御命令に応じて、上り回線の送信電力を増減させる。
【０００５】
閉ループ送信電力制御が行われている場合、ソフトハンドオーバ中の移動局は、自局との間で回線を設定している複数の基地局に対して、同一の送信電力で下り送信電力制御命令を送信する。このため、基地局は、移動局から当該基地局へ向かう上り回線の伝搬損失が小さい場合には、下り送信電力制御命令を正確に受信することができるが、上り回線の伝搬損失が大きい場合には、下り送信電力制御命令の受信に失敗する場合がある。その結果、複数の基地局のそれぞれと移動局との間に設定される各下り回線の送信電力が不均一になることがある。
【０００６】
このように、複数の基地局のそれぞれと移動局との間に設定される各下り回線の送信電力が不均一になる場合の問題を考える。例えば、上り回線の伝搬損失が大きいために移動局からの下り送信電力制御命令の受信に失敗した基地局における下り回線の送信電力が、上り回線の伝搬損失が最も小さい基地局における下り回線の送信電力よりも小さくなった場合を考える。この場合、移動局は、上り回線の伝搬損失が大きい基地局が送信する上り送信電力制御命令の受信を失敗しやすくなる。しかし、上り回線の送信電力は、主に伝搬損失の小さい基地局からの上り回線制御命令によって制御されるため、それほど問題ではない。
【０００７】
一方、上り回線の伝搬損失が大きいために移動局からの下り送信電力制御命令の受信に失敗した基地局における下り回線の送信電力が、上り回線の伝搬損失が最も小さい基地局における下り回線の送信電力よりも大きくなった場合を考える。この場合、上り回線の伝搬損失が大きいため、移動局からの下り送信電力制御命令の受信に失敗した基地局における下り回線の送信電力は無駄に大きくなり、当該基地局が提供するセル内の他の移動局に対する干渉となって、その結果、下り回線の回線容量が減少する可能性がある。
【０００８】
このような問題を解決すべく、例えば、特許文献１（特開平１１−３４０９１０号公報）では、基地局が下り送信電力制御命令を受信する毎に、その制御命令に応じて下り回線の送信電力を増減させるとともに、その下り回線の送信電力値を所定の基準値に近付くように制御する方法が開示されている。特許文献１では、基準値は、基地局における最大送信電力、最小送信電力、最大送信電力のデシベル値と最小送信電力のデシベル値との中間値、基地局における送信電力の統計値が用いられている。
【０００９】
また、特許文献２（特開２００２−２３２３５３号公報）では、基地局を下り回線の通信品質が良好なグループと劣化しているグループとに分け、下り回線の通信品質が良好なグループの基地局には、パワーバランス制御を継続させ、下り回線の通信品質が劣化しているグループの基地局には、当該下り回線の送信電力を所定のレベルまで低下させる制御を行わせることにより、通信品質が良好な下り回線に及ぼされる干渉を低下させ、下り回線の回線容量を増加させる方法が開示されている。
【００１０】
【特許文献１】
特開平１１−３４０９１０号公報（第１１−１２頁、図６）
【００１１】
【特許文献２】
特開２００２−２３２３５３号公報（第１０−１２頁、図７）
【００１２】
【発明が解決しようとする課題】
しかしながら、上述した特許文献１では、各基地局における下り回線の通信品質が異なる点が考慮されていない。このため、例えば、基地局が下り回線の通信品質が劣化しているために、当該下り回線の送信電力値を大きな値に設定した場合、その送信電力値が基準値として決定されると、他の基地局における下り回線の送信電力も必要以上に大きくなり、無駄が生じる。
【００１３】
また、上述した特許文献２では、通信品質が良好な下り回線に及ぼされる干渉を低下させ、下り回線の回線容量を増加させることが可能であるが、パワーバランス制御における送信電力の基準値をどのように決定すべきかという観点からの記載はない。
【００１４】
そこで、本願は、パワーバランス制御における下り回線の送信電力の基準を適切に決定することが可能な移動通信システム、無線制御装置、基地局及び送信電力制御方法を提供することを課題とする。
【００１５】
【問題を解決するための手段】
上記課題を解決するために、本発明は請求項１に記載されるように、複数の基地局と、前記各基地局を制御する無線制御装置とを有する移動通信システムにおいて、前記各基地局は、自局から移動局へ向かう下り回線の送信電力値を前記無線制御装置へ通知する送信電力値通知手段を備え、前記無線制御装置は、前記各基地局が提供するセルのうち、通信品質が良好なセルを判定するセル判定手段と、前記セル判定手段により判定されたセルを提供する基地局における下り回線の送信電力値と最大送信電力値との比率を基準電力比として決定する基準電力比決定手段と、前記基準電力比を前記各基地局へ通知する基準電力比通知手段とを備え、前記各基地局は、自局から前記移動局へ向かう下り回線の送信電力値と最大送信電力値との比率が前記基準電力比に近付くように、前記下り回線の送信電力を制御する送信電力制御手段を備える。
【００１６】
また、本発明は請求項２に記載されるように、移動通信システムを構成する複数の基地局を制御する無線制御装置において、前記各基地局から通知される、前記基地局から移動局へ向かう下り回線の送信電力値を取得する送信電力値取得手段と、前記各基地局が提供するセルのうち、通信品質が良好なセルを判定するセル判定手段と、前記セル判定手段により判定されたセルを提供する基地局における下り回線の送信電力値と最大送信電力値との比率を基準電力比として決定する基準電力比決定手段と、前記基準電力比を前記各基地局へ通知する基準電力比通知手段とを備える。
【００１７】
また、本発明は請求項３に記載されるように、請求項２に記載の無線制御装置において、前記通信品質は、前記移動局から前記基地局へ向かう上り回線の通信品質である。
【００１８】
また、本発明は請求項４に記載されるように、請求項３に記載の無線制御装置において、前記上り回線の通信品質を測定する上り回線通信品質測定手段を備える。
【００１９】
また、本発明は請求項５に記載されるように、請求項２に記載の無線制御装置において、前記通信品質は、前記下り回線の通信品質である。
【００２０】
また、本発明は請求項６に記載されるように、請求項２乃至５の何れかに記載の無線制御装置において、前記各基地局における下り回線の最大送信電力値を管理する最大送信電力値管理手段を備える。
【００２１】
また、本発明は請求項７に記載されるように、他の基地局とともに移動通信システムを構成する基地局において、自局から移動局へ向かう下り回線の送信電力値を、前記移動通信システムを構成する各基地局を制御する無線制御装置へ通知する送信電力値通知手段と、前記無線制御装置から通知される、前記移動通信システムを構成する各基地局のうち、通信品質が良好なセルを提供する基地局における下り回線の送信電力値と最大送信電力値との比率を、基準電力比として取得する基準電力比取得手段と、自局から前記移動局へ向かう下り回線の送信電力値と最大送信電力値との比率が前記基準電力比に近付くように、前記下り回線の送信電力を制御する送信電力制御手段とを備える。
【００２２】
また、本発明は請求項８に記載されるように、請求項７に記載の基地局において、前記移動局から通知される前記下り回線の通信品質を取得する下り回線通信品質取得手段と、前記下り回線の通信品質を前記無線制御装置へ通知する下り回線通信品質通知手段とを備える。
【００２３】
また、本発明は請求項９に記載されるように、複数の基地局と、前記基地局を制御する無線制御装置とを有する移動通信システムにて、前記各基地局の送信電力を制御する送信電力制御方法において、前記各基地局は、自局から移動局へ向かう下り回線の送信電力値を前記無線制御装置へ通知し、前記無線制御装置は、前記各基地局が提供するセルのうち、通信品質が良好なセルを判定し、前記無線制御装置は、前記判定したセルを提供する基地局における下り回線の送信電力値と最大送信電力値との比率を基準電力比として決定し、前記無線制御装置は、前記決定した基準電力比を前記各基地局へ通知し、前記各基地局は、自局から前記移動局へ向かう下り回線の送信電力値と最大送信電力値との比率が前記基準電力比に近付くように、前記下り回線の送信電力を制御する。
【００２４】
本発明によれば、無線制御装置は、通信品質が良好なセルを提供する基地局における下り回線の送信電力値と最大送信電力値との比率を、各基地局における下り回線の送信電力値と最大電力値との比率の基準となる値（基準電力比）として通知し、各基地局は、下り回線の送信電力値と最大送信電力値との比率が基準電力比に近付くように、下り回線の送信電力を制御する。通信品質が良好なセルを提供する基地局における下り回線の送信電力値は、一般に小さい値となる。従って、パワーバランス制御における基準電力比が、通信品質が良好なセルを提供する基地局における下り回線の送信電力値と最大送信電力値との比率に決定されることにより、各基地局における下り回線の送信電力が無駄に大きくなることを防止し、各基地局において、適切な下り回線の送信電力の制御が可能になる。
【００２５】
特に、各基地局の下り回線の最大送信電力値が異なる場合、通信品質が良好なセルを提供する基地局における下り回線の送信電力値を、各基地局における下り回線の送信電力値の基準値とし、各基地局が下り回線の送信電力値を当該基準値に近付くような制御を行うと、下り回線の最大送信電力値が基準値を下回る基地局においては、下り回線の送信電力の制御が不能となる。しかし、本発明では、通信品質が良好なセルを提供する基地局における下り回線の送信電力値と最大送信電力値との比率（基準電力比）が、各基地局における下り回線の送信電力値と最大送信電力値との比率の基準となっており、各基地局は、下り回線の送信電力値と最大送信電力値との比率が当該基準電力比に近付くようする制御を行っている。このため、各基地局は、下り回線の最大送信電力の多寡によらず、確実に下り回線の送信電力を制御することができる。
【００２６】
また、基準値を決定するための通信品質が下り回線の通信品質の場合には、無線制御装置は、上り回線と下り回線の通信品質が大きく異なる場合においても、基準電力比を適切に決定することができる。
【００２７】
【発明の実施の形態】
以下、図面を参照しながら本発明の実施の形態を説明する。
【００２８】
図１は、本発明の一実施形態に係る移動通信システムの構成例を示す図である。同図に示す移動通信システム１は、ＣＤＭＡが採用され、いわゆるソフトハンドオーバが可能なものであり、基地局１０−１、１０−２及び１０−３（以下、これら基地局１０−１、１０−２及び１０−３をまとめて、適宜「基地局１０」と称する）と、これら基地局１０を制御する無線制御装置３０と、移動局５０−１、５０−２及び５０−３（以下、これら移動局５０−１、５０−２及び５０−３をまとめて、適宜「移動局５０」と称する）とを備えて構成される。
【００２９】
図１において、基地局１０−１、１０−２及び１０−３は、無線ゾーンとしてのセル２０−１、２０−２及び２０−３（以下、これらセル２０−１、２０−２及び２０−３をまとめて、適宜「セル２０」と称する）を提供している。セル２０−１とセル２０−２とが重複する領域に存在する移動局５０−１は、ソフトハンドオーバ中であり、セル２０−１を提供する基地局１０−１、セル２０−２を提供する基地局２０−２の双方と通信可能である。
【００３０】
この移動通信システム１では、ソフトハンドオーバ中の移動局５０との間に回線が設定されている各基地局１０から当該ソフトハンドオーバ中の移動局５０へ向かう下り回線の送信電力値が所定の基準電力比に基づいて制御される、パワーバランス制御が行われる。以下、移動通信システム１におけるパワーバランス制御の詳細についての第１及び第２実施例を説明する。
（第１実施例）
第１実施例では、移動通信システム１におけるパワーバランス制御の際に、上り回線の通信品質が用いられる。
【００３１】
図２は、第１実施例における基地局１０の構成例を示す図である。同図に示す基地局１０は、アンテナ１１、移動局信号受信部１２、無線制御装置信号送信部１３、無線制御装置信号受信部１４、下り送信電力制御部１５及び移動局信号送信部１６を備える。
【００３２】
一方、図３は、第１実施例における無線制御装置３０の構成例を示す図である。同図に示す無線制御装置３０は、基地局信号受信部３１、上り通信品質測定部３２、主セル判定部３３、基準電力比決定部３４、基地局信号送信部３５及び基地局情報管理部３６を備える。
【００３３】
まず、図２を参照しつつ説明する。ソフトハンドオーバ中の移動局５０との間に回線が設定されている基地局１０内の移動局信号受信部１２は、当該移動局５０からのユーザ信号を、アンテナ１１を介して受信する。更に、移動局信号受信部１２は、受信したユーザ信号を無線制御装置信号送信部１３へ出力する。
【００３４】
無線制御装置信号送信部１３は、入力されたユーザ信号に、自局が提供するセル２０の識別情報（セル識別情報）を含ませた上で、無線制御装置３０へ送信する。また、無線制御装置信号送信部１３は、その時点で下り送信電力制御部１５によって設定されている下り回線の送信電力値（以下、「下り送信電力値」と称する）を取得し、自局が提供するセル２０の識別情報（セル識別情報）を含ませた上で、無線制御装置３０へ送信する。
【００３５】
次に、図３を参照しつつ説明する。無線制御装置３０内の基地局信号受信部３１は、ソフトハンドオーバ中の移動局５０との間に回線が設定されている各基地局１０から送信されるユーザ信号及び下り送信電力値を受信する。更に、基地局信号受信部３１は、ユーザ信号については上り通信品質測定部３２及び図示しない交換局へ出力し、下り送信電力値については基準電力比決定部３４へ出力する。
【００３６】
上り通信品質測定部３２は、入力される各ユーザ信号に基づいて、ソフトハンドオーバ中の移動局５０から当該移動局５０との間に回線が設定されている各基地局１０へ向かう上り回線の通信品質（以下、「上り通信品質」と称する）を測定する。ここで、上り通信品質は、任意のパラメータでよく、例えば共通パイロットチャネルの受信レベル、受信ＳＮＩＲ、及びブロックエラーレートなどである。上り通信品質測定部３２は、測定した各上り通信品質と、当該上り通信品質に対応するユーザ信号に含まれているセル識別情報とを対応付けた上で、主セル判定部３３へ出力する。
【００３７】
主セル判定部３３は、ソフトハンドオーバ中の移動局５０との間に回線が設定されている各基地局１０が提供するセル２０のうち、上り通信品質が最良のセル２０を主セルとして判定する。具体的には、主セル判定部３３は、上り通信品質測定部３２からの各上り通信品質の中から最良の上り通信品質を特定する。次に、主セル判定部３３は、その最良の上り通信品質に対応する基地局１０が提供するセル２０を主セルとして判定する。更に、主セル判定部３３は、最良の上り通信品質に対応付けられているセルの識別情報、即ち、主セルのセル識別情報を基準電力比決定部３４へ出力する。
【００３８】
基地局情報管理部３６は、各基地局１０の下り回線の最大送信電力値（以下、「下り最大送信電力値」と称する）と当該基地局１０が提供するセルのセル識別情報とを対応付けて管理している。
【００３９】
基準電力比決定部３４は、基地局信号受信部３１からの各下り送信電力値の中から主セルを提供する基地局１０における下り送信電力値と、当該主セルを提供する基地局１０の下り最大送信電力値との比率を基準電力比として決定する。
【００４０】
具体的には、基準電力比決定部３４は、基地局信号受信部３１からの各下り送信電力値からセル識別情報を抽出する。次に、基準電力比決定部３４は、抽出した各セル識別情報の中から、主セル判定部３３からのセル識別情報と一致するものを特定する。更に、基準電力比決定部３４は、その特定したセル識別情報を含んでいた下り送信電力値を特定する。また、基準電力比決定部３４は、基地局情報管理部３６が管理している各基地局１０の下り最大送信電力値の中から、主セル判定部３３からのセル識別情報に対応付けられているものを特定する。そして、基準電力比決定部３４は、特定した下り送信電力値と特定した下り最大送信電力値との比率を、基準電力比として決定する。決定された基準電力比は、基地局信号送信部３５へ出力される。
【００４１】
基地局信号送信部３５は、基準電力比決定部３４からの基準電力比を、ソフトハンドオーバ中の移動局５０との間に回線が設定されている各基地局１０へ送信する。また、基地局信号送信部３５は、ソフトハンドオーバ中の移動局５０宛のユーザ信号がある場合には、このユーザ信号をソフトハンドオーバ中の移動局５０との間に回線が設定されている各基地局１０へ送信する。
【００４２】
再び、図２を参照しつつ説明する。ソフトハンドオーバ中の移動局５０との間に回線が設定されている基地局１０内の無線制御装置信号受信部１４は、無線制御装置３０から送信される基準電力比を受信し、下り送信電力制御部１５へ出力する。また、無線制御装置信号受信部１４は、無線制御装置３０がユーザ信号を送信してきた場合には、当該ユーザ信号を受信し、移動局信号送信部１６へ出力する。
【００４３】
下り送信電力制御部１５は、基準電力比と自局の下り最大送信電力値とに基づいて、自局における下り送信電力値の基準値を導出する。例えば、基準電力比が主セルを提供する基地局１０における下り送信電力値を下り最大送信電力値で除算した値で定められている場合、下り送信電力制御部１５は、基準電力比に自局における下り最大送信電力値を乗算することにより、下り送信電力値の基準値を導出する。更に、下り送信電力制御部１５は、自局における下り送信電力値を当該基準値に近付くように制御する。このような処理により、下り送信電力制御部１５は、自局における下り送信電力値と下り最大送信電力値との比率が基準電力比に近付くように、当該自局における下り送信電力値を制御することができる。
【００４４】
移動局信号送信部１６は、下り送信電力制御部１５によって制御された下り送信電力値で、ユーザ信号等を、自局との間に回線が設定されているソフトハンドオーバ中の移動局５０へ送信する。
【００４５】
次に、第１実施例における移動通信システム１の動作を説明する。図４は、第１実施例における移動通信システム１の動作を示すシーケンス図である。ソフトハンドオーバ中の移動局５０との間に回線が設定されている基地局１０は、当該移動局５０から送信されるユーザ信号を受信すると（ステップ１０１）、このユーザ信号、自局が提供するセルのセル識別情報、及び、その時点における下り送信電力値とを無線制御装置３０へ送信する（ステップ１０２）。
【００４６】
無線制御装置３０は、ソフトハンドオーバ中の移動局５０との間に回線が設定されている各基地局１０から送信されたユーザ信号に基づいて、通信品質を測定する（ステップ１０３）。更に、無線制御装置３０は、測定した各上り通信品質に基づいて、ソフトハンドオーバ中の移動局５０との間に回線が設定されている各基地局１０が提供するセル２０のうち、上り通信品質が最良のセル２０を主セルとして判定する（ステップ１０４）。
【００４７】
次に、無線制御装置３０は、受信した各下り送信電力値の中から主セルを提供する基地局１０における下り送信電力値と下り最大送信電力値との比率を基準電力比として決定する（ステップ１０５）。更に、無線制御装置３０は、決定した基準電力比とユーザ信号とを、ソフトハンドオーバ中の移動局５０との間に回線が設定されている各基地局１０へ送信する（ステップ１０６）。
【００４８】
ソフトハンドオーバ中の移動局５０との間に回線が設定されている基地局１０は、自局における下り送信電力値と下り最大送信電力値との比率が受信した基準電力比に近付くように、下り送信電力値を制御する（ステップ１０７）。更に、ソフトハンドオーバ中の移動局５０との間に回線が設定されている基地局１０は、制御した下り送信電力値で、ユーザ信号等をソフトハンドオーバ中の移動局５０へ送信する（ステップ１０８）。
【００４９】
なお、第１実施例では、無線制御装置３０内の上り通信品質測定部３２が上り通信品質を測定するようにしたが、基地局１０が測定するようにしても良い。この場合、無線制御装置３０内の上り通信品質測定部３２の代わりに、基地局１０内の移動信号受信部１２と無線制御装置信号送信部１３との間に、上り通信品質測定部を備える構成とする。そして、基地局１０内の無線制御装置信号送信部１３は、上り通信品質測定部によって測定された上り通信品質を無線制御装置３０へ測定する。無線制御装置３０内の基地局信号受信部３１は、この基地局１０からの上り通信品質を主セル判定部３３へ出力し、主セル判定部３３は、当該上り通信品質に基づいて、主セルの判定を行う。
（第２実施例）
第２実施例では、移動通信システム１におけるパワーバランス制御の際に、下り回線の通信品質が用いられる。
【００５０】
第２実施例における基地局１０の構成は、図２に示す第１実施例における基地局１０の構成と同様である。即ち、第２実施例における基地局１０は、アンテナ１１、移動局信号受信部１２、無線制御装置信号送信部１３、無線制御装置信号受信部１４、下り送信電力制御部１５及び移動局信号送信部１６を備える。以下、第２実施例における基地局１０については、図２を参照しつつ説明する。
【００５１】
一方、第２実施例における無線制御装置３０の構成は、図３に示す第１実施例における無線制御装置３０の構成とは異なる。図５は、第２実施例における無線制御装置３０の構成例を示す図である。同図に示す無線制御装置３０は、基地局信号受信部３１、主セル判定部３３、基準電力比決定部３４、基地局信号送信部３５及び基地局情報管理部３６を備える。
【００５２】
まず、図２を参照しつつ説明する。ソフトハンドオーバ中の移動局５０との間に回線が設定されている基地局１０内の移動局信号受信部１２は、第１実施例と同様、当該移動局５０からのユーザ信号を、アンテナ１１を介して受信する。また、移動局信号受信部１２は、ソフトハンドオーバ中の移動局１０によって測定された下り通信品質を、アンテナ１１を介して受信する。更に、移動局信号受信部１２は、受信したユーザ信号及び下り通信品質を無線制御装置信号送信部１３へ出力する。
【００５３】
無線制御装置信号送信部１３は、入力されたユーザ信号を無線制御装置３０へ送信する。また、無線制御装置信号送信部１３は、入力された下り通信品質に、自局が提供するセル２０の識別情報（セル識別情報）を含ませた上で、無線制御装置３０へ送信する。更に、無線制御装置信号送信部１３は、その時点で下り送信電力制御部１５によって設定されている下り回線の送信電力値（下り送信電力値）を取得し、自局が提供するセル２０の識別情報（セル識別情報）を含ませた上で、無線制御装置３０へ送信する。
【００５４】
次に、図５を参照しつつ説明する。無線制御装置３０内の基地局信号受信部３１は、ソフトハンドオーバ中の移動局５０との間に回線が設定されている各基地局１０から送信されるユーザ信号、下り通信品質及び下り送信電力値を受信する。更に、基地局信号受信部３１は、ユーザ信号については図示しない交換局へ出力する。また、基地局信号受信部３１は、下り通信品質については主セル判定部３３へ出力し、下り送信電力値については基準電力比決定部３４へ出力する。
【００５５】
主セル判定部３３は、ソフトハンドオーバ中の移動局５０との間に回線が設定されている各基地局１０が提供するセル２０のうち、下り通信品質が最良のセル２０を主セルとして判定する。具体的には、主セル判定部３３は、基地局信号受信部３１からの下り通信品質の中から最良の下り通信品質を特定する。次に、主セル判定部３３は、その最良の下り通信品質に対応する基地局１０が提供するセル２０を主セルとして判定する。更に、主セル判定部３３は、最良の下り通信品質に含まれているセルの識別情報、即ち、主セルのセル識別情報を基準電力比決定部３４へ出力する。
【００５６】
基地局情報管理部３６は、第１実施例と同様、各基地局１０の下り回線の最大送信電力値（下り最大送信電力値）と当該基地局１０が提供するセルのセル識別情報とを対応付けて管理している。
【００５７】
基準電力比決定部３４は、基地局信号受信部３１からの各下り送信電力値の中から主セルを提供する基地局１０における下り送信電力値と、当該主セルを提供する基地局１０の下り最大送信電力値との比率を基準電力比として決定する。
【００５８】
具体的な決定方法は、第１実施例と同様である。即ち、基準電力比決定部３４は、基地局信号受信部３１からの各下り送信電力値からセル識別情報を抽出する。次に、基準電力比決定部３４は、抽出した各セル識別情報の中から、主セル判定部３３からのセル識別情報と一致するものを特定する。更に、基準電力比決定部３４は、その特定したセル識別情報を含んでいた下り送信電力値を特定する。
また、基準電力比決定部３４は、基地局情報管理部３６が管理している各基地局１０の下り最大送信電力値の中から、主セル判定部３３からのセル識別情報に対応付けられているものを特定する。そして、基準電力比決定部３４は、特定した下り送信電力値と特定した下り最大送信電力値との比率を、基準電力比として決定する。決定された基準電力比は、基地局信号送信部３５へ出力される。
【００５９】
基地局信号送信部３５は、基準電力比決定部３４からの基準電力比を、ソフトハンドオーバ中の移動局５０との間に回線が設定されている各基地局１０へ送信する。また、基地局信号送信部３５は、ソフトハンドオーバ中の移動局５０宛のユーザ信号がある場合には、当該ユーザ信号を、ソフトハンドオーバ中の移動局５０との間に回線が設定されている各基地局１０へ送信する。
【００６０】
再び、図２を参照しつつ説明する。基準電力比及びユーザ信号を受信した基地局１０は、第１実施例と同様の処理を行う。即ち、ソフトハンドオーバ中の移動局５０との間に回線が設定されている基地局１０内の無線制御装置信号受信部１４は、無線制御装置３０から送信される基準電力比を受信し、下り送信電力制御部１５へ出力する。また、無線制御装置信号受信部１４は、無線制御装置３０がユーザ信号を送信してきた場合には、当該ユーザ信号を受信し、移動局信号送信部１６へ出力する。
【００６１】
下り送信電力制御部１５は、第１実施例と同様、基準電力比と自局の下り最大送信電力値とに基づいて、自局における下り送信電力値の基準値を導出し、自局における下り送信電力値を当該基準値に近付くように制御する。このような処理により、下り送信電力制御部１５は、自局における下り送信電力値と下り最大送信電力値との比率が基準電力比に近付くように、当該自局における下り送信電力値を制御することができる。移動局信号送信部１６は、下り送信電力制御部１５によって制御された下り送信電力値で、ユーザ信号等を、自局との間に回線が設定されているソフトハンドオーバ中の移動局５０へ送信する。
【００６２】
次に、第２実施例における移動通信システム１の動作を説明する。図６は、第２実施例における移動通信システム１の動作を示すシーケンス図である。ソフトハンドオーバ中の移動局５０との間に回線が設定されている基地局１０は、当該移動局５０から送信されるユーザ信号及び下り通信品質を受信すると（ステップ２０１）、これらユーザ信号及び下り通信品質と、自局が提供するセルのセル識別情報と、その時点における下り送信電力値とを、無線制御装置３０へ送信する（ステップ２０２）。
【００６３】
無線制御装置３０は、ソフトハンドオーバ中の移動局５０との間に回線が設定されている各基地局１０から送信された下り通信品質に基づいて、各基地局１０が提供するセル２０のうち、下り通信品質が最良のセル２０を主セルとして判定する（ステップ２０３）。
【００６４】
次に、無線制御装置３０は、受信した各下り送信電力値の中から主セルを提供する基地局１０における下り送信電力値と下り最大送信電力値との比率を基準電力比として決定する（ステップ２０４）。更に、無線制御装置３０は、決定した基準電力比とユーザ信号とを、ソフトハンドオーバ中の移動局５０との間に回線が設定されている各基地局１０へ送信する（ステップ２０５）。
【００６５】
ソフトハンドオーバ中の移動局５０との間に回線が設定されている基地局１０は、自局における下り送信電力値と下り最大送信電力値との比率が受信した基準電力比に近付くように、下り送信電力値を制御する（ステップ２０６）。更に、ソフトハンドオーバ中の移動局５０との間に回線が設定されている基地局１０は、制御した下り送信電力値で、ユーザ信号等をソフトハンドオーバ中の移動局５０へ送信する（ステップ２０７）。
【００６６】
図７は、本実施形態の移動通信システムにおける送信電力制御の一例を示す図である。同図において、各基地局１０における下り最大送信電力値は異なっており、基地局１０−１は４２ｄＢｍ、基地局１０−２は２６ｄＢｍである。
【００６７】
送信電力制御に際して、基地局１０−１は、その時点における下り送信電力値（３６ｄＢｍ）を無線制御装置３０へ通知する。同様に、基地局１０−２は、その時点における下り送信電力値（２４ｄＢｍ）を無線制御装置３０へ通知する。
【００６８】
無線制御装置３０は、基地局１０−１及び基地局１０−２が提供するセルの中から、上り通信品質又は下り通信品質が最良のセルを主セルとして判定する。ここで、基地局１０−１が提供するセルが主セルとして判定された場合、無線制御装置３０は、基地局１０−１における下り送信電力値（３６ｄＢｍ）と基地局１０−１における下り最大送信電力値（４２ｄＢｍ）との比率（−６ｄＢ＝３６ｄＢｍ−４２ｄＢｍ）を基準電力比として決定し、基地局１０−１及び１０−２へ通知する。
【００６９】
基地局１０−１及び基地局１０−２は、自局における下り送信電力値と下り最大送信電力値との比率が基準電力比に近付くように、下り送信電力値を制御する。ここでは、基地局１０−１は、下り最大送信電力値（４２ｄＢｍ）と基準電力比（−６ｄＢ）とに基づいて、下り送信電力値の基準値を３６ｄＢｍ（＝４２ｄＢｍ−６ｄＢ）に設定する。一方、基地局１０−２は、下り最大送信電力値（２６ｄＢｍ）と基準電力比（−６ｄＢ）とに基づいて、下り送信電力値の基準値を２０ｄＢｍ（＝２６ｄＢｍ−６ｄＢ）に設定する。
【００７０】
更に、基地局１０−１は、下り送信電力値を基準値（３６ｄＢｍ）に近付くように制御する。一方、基地局１０−２は、下り送信電力値を基準値（２０ｄＢｍ）に近付くように制御する。基地局１０−１及び１０−２は、このような処理により、自局における下り送信電力値と下り最大送信電力値との比率が基準電力比に近付くように、当該自局における下り送信電力値を制御する。
【００７１】
このように、本実施形態における移動通信システム１では、ソフトハンドオーバ中の移動局５０との間に回線が設定されている各基地局１０は、自局から当該ソフトハンドオーバ中の移動局５０へ向かう下り回線の送信電力値を無線制御装置３０へ通知する。無線制御装置３０は、パワーバランス制御を行うべく、各基地局１０が提供するセル２０のうち、通信品質が最良のセルを判定し、その通信品質が最良のセル２０を提供する基地局１０における下り送信電力値と下り最大送信電力値との比率を基準電力比として決定して、ソフトハンドオーバ中の移動局５０との間に回線が設定されている各基地局１０へ通知する。ソフトハンドオーバ中の移動局５０との間に回線が設定されている基地局１０は、自局における下り送信電力値と下り最大送信電力値との比率が基準電力比に近付くように、下り送信電力を制御する。
【００７２】
通信品質が最良のセル２０を提供する基地局１０における下り送信電力値は、フェージングによる影響が少ないため、一般に小さい値となる。従って、パワーバランス制御における基準電力比が、通信品質が最良のセル２０を提供する基地局１０における下り送信電力値と下り最大送信電力値との比率に決定されることにより、移動通信システム１を構成する、ソフトハンドオーバ中の移動局５０との間に回線が設定されている各基地局１０における下り回線の送信電力が、通信品質が良好であるにもかかわらず、無駄に大きくなることが防止され、これら各基地局１０において、適切な下り回線の送信電力の制御が可能になる。
【００７３】
特に、各基地局１０の下り最大送信電力値が異なっており、且つ、通信品質が最良なセル２０を提供する基地局２０における下り送信電力値を、ソフトハンドオーバ中の移動局５０との間に回線が設定されている各基地局１０における下り送信電力値の基準値とし、これら各基地局１０が下り送信電力値を当該基準値に近付くような制御を行う場合においては、下り最大送信電力値が基準値を下回る基地局１０は、下り送信電力値を基準値に近付ける制御を行うことができない。
しかし、本実施形態の移動通信システム１では、通信品質が最良なセル２０を提供する基地局１０における下り送信電力値と下り最大送信電力値との比率（基準電力比）が、ソフトハンドオーバ中の移動局５０との間に回線が設定されている各基地局１０における下り送信電力値と下り最大送信電力値との比率の基準となっており、これら各基地局１０は、下り送信電力値と下り最大送信電力値との比率が当該基準電力比に近付くようする制御を行っている。このため、ソフトハンドオーバ中の移動局５０との間に回線が設定されている各基地局１０は、下り最大送信電力の多寡によらず、確実に下り送信電力を制御することができる。
【００７４】
また、第２実施例では、通信品質として下り通信品質が用いられている。上り通信品質が用いられている場合、上り通信品質と下り通信品質とが大きく異なる環境下では、上り通信品質が最良のセル２０を提供する基地局１０における下り送信電力値は、必ずしも各基地局１０における下り送信電力値の中で小さいものであるとは限らない。その結果、無線制御装置３０が決定する基準電力比が適切な値にならない場合がある。しかし、第２実施例では、無線制御装置３０は、下り通信品質が最良のセル２０を提供する基地局１０における下り送信電力値を基準電力比として決定するため、ソフトハンドオーバ中の移動局５０との間に回線が設定されている各基地局１０における下り送信電力値の中で最小のものを基準電力比とすることができる。従って、上り通信品質と下り通信品質とが大きく異なる環境下においても、ソフトハンドオーバ中の移動局５０との間に回線が設定されている各基地局１０において、より適切な下り送信電力の制御が可能になる。
【００７５】
なお、上述した実施形態では、無線通信制御装置３０は、通信品質が最良のセル２０を提供する基地局１０における下り回線の送信電力値を基準電力比として決定したが、通信品質が最良ではないものの所定以上の良好なセル２０を提供する基地局１０における下り回線の送信電力値を基準電力比として決定しても良い。
【００７６】
また、上述した実施形態では、無線制御装置３０内の基地局情報管理部３６が各基地局１０における下り最大送信電力値を管理しているが、各基地局１０が下り最大送信電力値を適宜、無線制御装置３０へ送信するようにしてもよい。この場合、基地局１０内の無線制御装置信号送信部１３は、自局における下り最大送信電力値に、自局が提供するセル２０のセル識別情報を含ませた上で、無線制御装置３０へ送信する。無線制御装置３０内の基地局信号受信部３１は、下り最大送信電力値を受信すると、基準電力比決定部３４へ出力する。基準電力比決定部３４は、基地局信号受信部３１からの各下り最大送信電力値の中から、主セル判定部３３からのセル識別情報を含む下り最大送信電力値を、主セルを提供する基地局１０の下り最大送信電力値として特定し、基準電力比の決定に用いる。
【００７７】
【発明の効果】
本発明によれば、パワーバランス制御における下り回線の送信電力の基準を、各基地局における下り回線の最大送信電力値の多寡によらず、適切に決定することが可能となる。
【図面の簡単な説明】
【図１】本実施形態の移動通信システムの構成例を示す図である。
【図２】第１及び第２実施例における基地局の構成例を示す図である。
【図３】第１実施例における無線制御装置の構成例を示す図である。
【図４】第１実施例における移動通信システムの動作を示すシーケンス図である。
【図５】第２実施例における無線制御装置の構成例を示す図である。
【図６】第２実施例における移動通信システムの動作を示すシーケンス図である。
【図７】本実施形態の移動通信システムにおける送信電力制御の一例を示す図である。
【符号の説明】
１  移動通信システム
１０−１、１０−２、１０−３  基地局
１１  アンテナ
１２  移動局信号受信部
１３  無線制御装置信号送信部
１４  無線制御装置信号受信部
１５  下り送信電力制御部
１６  移動局信号送信部
２０−１、２０−２、２０−３  セル
３０  無線制御装置
３１  基地局信号受信部
３２  上り通信品質測定部
３３  主セル判定部
３４  基準電力比決定部
３５  基地局信号送信部
３６  基地局情報管理部
５０−１、５０−２、５０−３  移動局
【図１】
2004266538.tif 000003
【図２】
2004266538.tif 000004
【図３】
2004266538.tif 000005
【図４】
2004266538.tif 000006
【図５】
2004266538.tif 000007
【図６】
2004266538.tif 000008
【図７】
2004266538.tif 000009